【事件の表示】
　特許第２９７４９３４号「生理用ナプキン」の請求項１〜６に係る特許に対する特許異議の申立てについて、次のとおり決定する。
【結　論】
　訂正を認める。
　特許第２９７４９３４号の請求項１〜５に係る特許を取り消す。
【理　由】
１．手続きの経緯
　本件特許第２９７４９３４号に係る発明は、平成７年６月２日に特許出願され、平成１１年９月３日に特許権が設定登録された。その後、特許異議申立人土山健二、特許異議申立人花王株式会社により特許異議申立てがなされ、特許取消し理由が通知された後、意見書提出の指定期間内である平成１３年２月５日に明細書の訂正請求がされた。
　
２．訂正請求について
（１）訂正の内容
訂正事項ａ
　特許請求の範囲の請求項１の
「【請求項１】使用者の身体に面する側に配置された液透過性のトップシートと、下着に面する側に配置された液不透過性のバックシートと、前記両シート間に配置された吸収性コアを備えた生理用ナプキンであって、生理用ナプキンの外形と一致するとともに使用者の身体の前後方向に沿って実質的に細長い形状を呈し、使用者の身体の後方部分に対応するシート部分が身体の前方部分に対応するシート部分より幅広に形成されたバックシートと、前記バックシートの前方部分より幅狭に形成された吸収性コアと、前記吸収性コアが存在する領域に対応して配置されるとともに前記バックシートの下着に面する側に設けられた第１の接着層と、前記バックシートの幅広に形成された後方部分であって前記吸収性コアの両側の前記吸収性コアが存在しない領域に対応して配置されるとともに前記バックシートの下着に面する側に設けられた第２の接着層とを有し、前記第１の接着層によって生理用ナプキンが下着の内側に固定されるとともに、前記第２の接着層によって前記バックシートの幅広に形成された後方部分が下着内で広がり状態に保持されてなる、生理用ナプキン。」
を、
「【請求項１】使用者の身体に面する側に配置された液透過性のトップシートと、下着に面する側に配置された液不透過性のバックシートと、前記両シート間に配置された吸収性コアを備えた生理用ナプキンであって、
前記バックシートは、
れ、前記吸収性コアは、
、前記生理用ナプキンは、さらに、
と、前記吸収性コアの両側を越えて横方向外側に延びるウイングと、前記ウイングの下着に面する側に設けられた第３の接着層とを備え、使用に際して、
の内側
、前記ウイングが下着の股領域に折り返されそこに前記第３の接着層を介して固定される
生
に訂正する。
　
訂正事項ｂ 
 特許請求の範囲の請求項１の
「【請求項２】前記吸収性コアが、使用者の身体の前後方向に沿って実質的に同じ幅を有してなる、請求項１記載の生理用ナプキン。」
を、
「【請求項２】前記吸収性コアが、
細破砕木材パルプで形成されると共に、
に訂正する。
　
請求事項ｃ
　特許請求の範囲の請求項６を削除する。
　
請求事項ｄ
　発明の詳細な説明の段落０００７の
「【０００７】【課題を解決するための手段】本発明の生理用ナプキンは、使用者の身体に面する側に配置された液透過性のトップシートと、下着に面する側に配置された液不透過性のバックシートと、両シート間に配置された吸収性コアを備えた生理用ナプキンであって、前記生理用ナプキンの外形と一致するとともに、使用者の身体の前後方向に沿って実質的に細長い形状を呈し、使用者の身体の後方部分に対応するシート部分は身体の前方部分に対応するシート部分より幅広に形成されたバックシートと、前記バックシートの前方部分より幅狭に形成された吸収性コアと、前記吸収性コアが存在する領域に対応して配置されるとともに前記バックシートの下着に面する側に設けられた第１の接着層と、前記バックシートの幅広に形成された後方部分であって前記吸収性コアの両側の前記吸収性コアが存在しない領域に対応して配置されるとともに前記バックシートの下着に面する側に設けられた第２の接着層とを有し、前記第１の接着層によって生理用ナプキンが下着の内側に固定されるとともに、第２の接着層によって前記バックシートの幅広に形成された後方部分が下着内で広がり状態に保持されることを特徴とする。」
を
「【０００７】【課題を解決するための手段】本発明の生理用ナプキンは、使用者の身体に面する側に配置された液透過性のトップシートと、下着に面する側に配置された液不透過性のバックシートと、前記両シート間に配置された吸収性コアを備えた生理用ナプキンであって、
前記バックシートは、
れ、前記吸収性コアは、
、前記生理用ナプキンは、さらに、
と、前記吸収性コアの両側を越えて横方向外側に延びるウイングと、前記ウイングの下着に面する側に設けられた第３の接着層とを備え、使用に際して、
の内側
、前記ウイングが下着の股領域に折り返されそこに前記第３の接着層を介して固定される
と訂正する。
　
（２）訂正の適否について
　訂正事項ａの中で、「
前記吸収性コアの両側を越えて横方向外側に延びるウイングを、前記ウイングの下着に面する側に設けられた第３の接着層とを備え、
前記ウイングが下着の股領域に折り返されそこに前記第３の接着層を介して固定され
前記バックシートは、
前記吸収性コアは、
前記生理用ナプキンは、さらに
の内側
　したがって、訂正事項ａは、特許請求の範囲の減縮及び明りょうでない記載の釈明を目的とする訂正である。
　
　訂正事項ｂは、特許請求の範囲の請求項２において、「
細破砕木材パルプで形成される
　
　訂正事項ｃは、特許請求の範囲の請求項６を削除するものであるので、特許請求の範囲の減縮を目的とする訂正である。
　
　訂正事項ｄは、訂正事項ａによって特許請求の範囲が減縮されたことに伴い、発明の詳細な説明の対応部分の整合を図るものであるので、明りょうでない記載の釈明を目的とする訂正である。
　
　そして、訂正事項ａ〜ｄは、願書に添付した明細書又は図面に記載した事項の範囲内での訂正であり、実質上特許請求の範囲を拡張し、又は変更するものでもない。
　
　したがって、本件訂正は、特許法等の一部を改正する法律（平成６年法律第１１６号）附則第６条第１項の規定によりなお従前の例によるとされる、特許法第１２０条の４第３項において準用する平成６年法律１１６号による改正前の特許法第１２６条第１項ただし書及び第２項の規定に適合するので、訂正を認める。
　
３．特許異議の申立てについての判断
（１）本件発明
　上記２．に示したように本件訂正は認められるから、本件特許の請求項１〜５に係る発明は、訂正明細書の特許請求の範囲の請求項１〜５に記載された事項により特定された次のとおりのものである。
　
【請求項１】使用者の身体に面する側に配置された液透過性のトップシートと、下着に面する側に配置された液不透過性のバックシートと、前記両シート間に配置された吸収性コアを備えた生理用ナプキンであって、
前記バックシートは、
れ、前記吸収性コアは、
、前記生理用ナプキンは、さらに、
と、前記吸収性コアの両側を越えて横方向外側に延びるウイングと、前記ウイングの下着に面する側に設けられた第３の接着層とを備え、使用に際して、
の内側
、前記ウイングが下着の股領域に折り返されそこに前記第３の接着層を介して固定され
　
【請求項２】前記吸収性コアが、
細破砕木材パルプで形成されると共に、
　
【請求項３】　前記トップシートが、前記吸収性コアの外周縁に沿って前記バックシートに固定されてなる、請求項１または２記載の生理用ナプキン。
　
【請求項４】　前記トップシートが、前記バックシートの外形と一致し、それぞれの外周縁が互いに固定されてなる、請求項１記載の生理用ナプキン。
　
【請求項５】　前記バックシートの幅広に形成された後方部分が前記生理用ナプキンの長手方向中心線に向けて折り返され、前記接着層に剥離紙が取付けられてなる、請求項１記載の生理用ナプキン。
　
（２）刊行物に記載された発明
　当審で通知した特許取消し理由に引用した刊行物には、それぞれ以下の事項が図面と共に記載されている。
　
刊行物1　実願平3-2372号(実開平4-103117号公報)のマイクロフィルム
　　　　（特許異議申立人土山健二の提出した甲第1号証、同花王株式会社　　　　　の提出した甲第1号証)
　
【請求項１】
　「吸収層２と防水層３を有して成る生理用ナプキン１であって、一方部の両側にウイング４，４を備え、これらウイング４，４外面にそれぞれ止着手段５，５を設けると共に、他方部の防水層３外面に止着手段６を設けたことを特徴とする生理用ナプキン。」
【０００３】欄
「また、従来の生理用ナプキンには、ナプキン本体の中央部の両側にウイングを備えたものが存在する。このような生理用ナプキンは、ウイングをショーツの又部に巻き込んでナプキンを止着することにより、使用時における横ズレを防止し、ショーツを汚さないようにするものである。」
【０００９】欄
　「【実施例】以下、この出願の考案に係る生理用ナプキンの構成を、実施例として示した図面に基づいて説明する。　図１〜３は、この出願の考案に係る生理用ナプキン１の一実施例を示しており、使用面となる吸収層２と非使用面となる防水層３を有して成る。吸収層２は、実施例に示したものは、ポリマーパウダーを保持させた綿状パルプ２ａをパルプ受紙２ｂで包囲したものを不織紙２ｃで被ったものとしている。防水層３は、実施例に示したものは、ポリエチレンフィルムとしており、吸収層２の両側部に折返部３ａを設けたものとしている。そして、生理用ナプキン１は、吸収層２の周縁部を防水層３内面にラミネートした積層体としている」。
【００１０】欄
「前記生理用ナプキン１の一方部における防水層３の両側には、ナプキン本体の横幅の約１／２長の横幅としたウイング４、４がそれぞれ延長して設けられている。そして、これらウイング４、４外面の適宜個所には、使用時に粘着層５ａから剥離紙５ｂを剥がす形式とした止着手段５、５をそれぞれ取り付けている。さらに、前記生理用ナプキン１の他方部における防水層３外面の略中央部には、使用時に粘着層６ａから剥離紙６ｂを剥がす形式とした止着手段６を取り付けている。そして、必要に応じ、止着手段６は、この生理用ナプキン１の他方部から一方部にかけて延長して設けることができる。」
【００１４】欄
「【考案の効果】この出願の考案に係る生理用ナプキンは、止着手段６を前向きにすると共にショーツの又部位置に止着して、ショーツを着用すれば、止着手段５、５は自然に着用ショーツの腰部位置後方の二個所に止着されるので、使用が非常に簡単であると共に、ショーツに確実に止着することができ、使用時における横ずれが防止され、ショーツを汚さないものとなった。」
　
刊行物2　特開平7-112008号公報(特許異議申立人土山健二の提出した甲第2　　　　　号証)
　
【請求項１】
「透水性の表面シートと非透水性の防漏シートとの間に、表面シートおよび防漏シートよりも幅狭な体液吸収性の吸収層を介装してナプキン本体を形成し、このナプキン本体の防漏シート側の外面にショーツ内面への止着部を形成するとともに吸収層の両側の防漏シートおよび表面シートの一部を外方に膨出して膨出部とし、この膨出部の表面シート側の両側に両側折返片を止着固定し、この両側折返片の外面側にショーツ外面への貼着部を設け、使用時に、両側折返片を防漏シート側に折返し可能に形成した事を特徴とする生理用ナプキン。」
【請求項３】
「一対の両側折返片の貼着部は、一枚の離型紙によって被覆することを特徴とする請求項１の生理用ナプキン。」
【００１３】欄
「このように、生理用ナプキンはショーツの内面外面の双方に固定するものであるから、ショーツの股部に一体的にフィットして固定でき、使用者の激しい運動等にもズレを生じにくく、安定した装着が可能となる。」
【００１８】欄
「また、防漏シート(１)は、表面に、図４に示す如く吸収層(４)を載置する。この吸収層(４)は、コットン、パルプ、吸収性高分子等から成り、防漏シート(１)よりも幅狭に形成する。」
【００２１】欄
「表面シート（５）、防漏シート（１）を、図６に示す如く、外周溶着部（１２）により加熱溶着固定し、形成目的のナプキン本体を形成する。」
　
刊行物3　実願平4-27672号(実開平5-86322号公報)のCD-ROM
　　　　　(特許異議申立人土山健二の提出した甲第3号証)
　
【請求項１】
「透液性表面シートと不透液性裏面シートとの間に吸液性コアを介在させ、前記コアの両側縁から外方向へ延出させたウイング部を有するフラップを形成し、前記ウイング部の裏面に粘着剤を塗布した生理用ナプキンにおいて、前記ウイング部の両側縁間の幅が前記コアの幅の２倍以上にしてあることを特徴とする前記生理用ナプキン。」
【０００２】欄
「【従来の技術】従来、生理用ナプキンにおいて、透液性表面シートと不透液性裏面シートとの間に吸液性コアを介在させるとともに、そのコアの両側縁から外方向へそれら表裏面シートを延出させてウイング型のフラップを形成したものが知られている。かかるウイングは、裏面に塗布した粘着剤を介して生理用ナプキンを着用パンツの股当部に固定する機能を有する」
【００１２】欄
「吸収性コアには粉砕パルプと高吸収性ポリマーの混合物等を使用することができる。」
　
刊行物4　特開平5-293139号公報(特許異議申立人花王株式会社の提出した　　　　　甲第2号証)
　
【請求項１】
「吸収部材を包囲する液体透過性トップシート及び液体不透過性バックシートを有し、両側部にフラップを備えた生理用ナプキンにおいて、該各フラップが該液体透過性トップシート上に折り重ねられており、折り重ねられた両フラップの外側に面する面上に粘着剤層が配置されており、そして該粘着剤層にフラップ固定材が積層されており、ここで一方の粘着剤層は直接にそして他方の粘着剤層は剥離可能に該フラップ固定材に結合されており、さらに前記液体不透過性バックシート表面にはナプキン本体を下着に固定するための粘着剤層及び該粘着剤層を保護するための剥離材が設けられていることを特徴とする生理用ナプキン。」
【０００２】欄
「【従来の技術】　フラップ付き生理用ナプキンは、図４および５に示すように、一般に吸収部材およびこれを包囲するシートから成る。使用中に着用者の身体に面するシートは体液透過性であり、以下このシートをトップシートと称する。使用中に下着に面するシートは体液不透過性であることが多く、以下これをバックシートと称する。これらトップシートおよびバックシートが吸収部材側方へ突出することによってフラップが形成される。」
【０００７】欄
「【作用および効果】　本発明の生理用ナプキンは、使用に際し、剥離処理層９を介して積層されている粘着剤層とフラップ固定材８との間を剥離し、フラップ４および５を反対側に折り曲げて下着を包み込むように再固定できるので、経血の横もれにより下着が汚れるのを完全に防止する」
【０００９】欄
「本発明の１つの具体例を図１および図２に示す。図１は本発明の生理用ナプキンの断面図であり、図２は図１中の粘着剤層およびフラップ固定材の部分を拡大して示したものである。吸収部材（１）が液体透過性（２）（トップシートと称する）と液体不透過性シート（３）（バックシートと称する）により包囲されている。」
【００１１】欄
「フラップ」（４）および（５）はトップシート（２）および／またはバックシート（３）の延長部分により構成するのが便利である。」
　
（３）対比・判断
ａ．請求項１について
　本件発明の請求項１に係る発明と刊行物１の請求項１及び実施例に記載された発明を図１〜図３を参照しつつ対比すると、本件発明の「使用者の身体に面する側に配置された液透過性のトップシート」、「下着に面する側に配置された液不透過性のバックシート」、「前記両シート間に配置された吸収性コア」が、それぞれ刊行物１の「（使用面となる）吸収層２」において「ポリマーパウダーを保持させた綿状パルプ２ａをパルプ受紙２ｂで包囲したもの」を被った「不織紙２ｃ」、「（非使用面となる）防水層３」、「ポリマーパウダーを保持させた綿状パルプ２ａをパルプ受紙２ｂで包囲したもの」に対応している。
　そして、本件発明において「
前記バックシートは、
　さらに、「前記第１の接着層によって生理用ナプキンが下着の内側に固定されるとともに、前記第２の接着層によって前記バックシートの幅広に形成された後方部分が下着
の内側
  そうすると、本件発明と刊行物１記載の発明では、本件発明の生理用ナプキンが「前記
吸収性コアの両側を越えて横方向外側に延びるウイングと、前記ウイングの下着に面する側に設けられた第３の接着層とを備え、使用に際して、前記ウイングが下着の股領域に折り返されそこに前記第３の接着層を介して固定され
　
　そこで、この相違点について検討すると、刊行物２〜４には、本件発明における「トップシート」、「バックシート」及び「吸収性コア」に対応する構成を持ち、本発明における上記ウイングと同様に生理用ナプキンの下着側（外側）面に、下着の股部外側に止着するための接着層（止着部）を設けたウイングを有する生理用ナプキンが記載されており、刊行物１を含めたそれぞれの従来技術欄の記載からみても、このようなウイングを有する生理用ナプキンが本件特許の出願前に広く知られていたことは明らかである。
　そして、生理用ナプキンを下着に安定に固定し、使用時におけるズレをできるだけ防止することは、周知の課題であって、刊行物１における一方部に設けた幅広部分としてのウイングも刊行物２〜４のウイングも、いずれも上記課題の解決のための構成であるので、よりいっそう確実に固定してズレを生じにくくするために、刊行物１における幅広部分を設けたものにおいても、刊行物２〜４と同様のウイングを更に設けることは、必要に応じて当業者が適宜に行い得ることであり、両者を併用することを妨げる格別の事由も認められない。
　なお、さらに附言すれば、刊行物１において、ウイング部分を下着の股部外側に止着する従来の生理用ナプキンの問題として挙げているのは、取付け時の手間の面であり、より確実に固定して横ズレ、横モレ等を防止するために下着股部外面に固定するウイングを併用することを阻害する要因になるものとはいえない。
　また、生理用ナプキンが下着の内外で固定される点については、刊行物２の【００１３】欄に明記されているように、下着の股部に固定するウイングを有するナプキンに共通する機能である。
　したがって、本件特許の請求項１に係る発明は、刊行物１〜４に記載された発明に基づいて、当業者が容易に発明できたものと認められる。
　
ｂ．請求項２について
　細破砕木材パルプは、生理用ナプキンにおける吸収性材料として周知のものであり（例えば、特開昭５３−３５２９６号公報、特開昭５５−１５１９６０号公報、特開昭６４−２６４８号公報などを参照。刊行物３の【００１２】欄にも「粉砕パルプ」が例示されている。）、吸収性コアが使用者の体の前後方向に沿って実質的に同じ幅を有していることは、刊行物１〜４にも見られるように、通常の形状である。
　
ｃ．請求項３について
　刊行物２の「表面シート（５）、防漏シート（１）を、図６に示す如く、外周溶着部（１２）により加熱溶着固定し、形成目的のナプキン本体を形成する。」（【００２１】欄、図１、図２及び図６参照）」、刊行物４の「吸収性部材を包囲する液体透過性トップシート」（請求項１）、「吸収部材（１）が液体透過性（２）（トップシートと称する）と液体不透過性シート（３）（バックシートと称する）により包囲されている。」（【０００９】欄、図１及び５参照）などの記載にもみられるように、トップシートを吸収性コアの外周縁に沿ってバックシートに固定することは、生理用ナプキンにおいて、普通に行われている。
　
ｄ．請求項４について
　刊行物２の「表面シート（５）、防漏シート（１）を、図６に示す如く、外周溶着部（１２）により加熱溶着固定し、形成目的のナプキン本体を形成する。」（【００２１】欄）、刊行物３の「生理用ナプキンにおいて、透液性表面シートと不透液性裏面シートとの間に吸液性コアを介在させるとともに、そのコアの両側縁から外方向へそれら表裏面シートを延出させてウイング型のフラップを形成したものが知られている。」（【０００２】欄）、刊行物4　の「これらトップシートおよびバックシートが吸収部材側方へ突出することによってフラップが形成される」（【請求項１】）、「フラップ」（４）および（５）はトップシート（２）および／またはバックシート（３）の延長部分により構成するのが便利である。」（【００１１】欄）などの記載にもみられるように、トップシートが、前記バックシートの外形と一致し、それぞれの外周縁が互いに固定されているようにすることは、生理用ナプキンにおいて、普通に行われている。
　
ｅ．請求項５について
　刊行物２の「一対の両側折返片の貼着部は、一枚の離型紙によって被覆することを特徴とする請求項１の生理用ナプキン」（【請求項３】、図面参照）、刊行物４の「該各フラップが該液体透過性トップシート上に折り重ねられており、折り重ねられた両フラップの外側に面する面上に粘着剤層が配置されており、そして該粘着剤層にフラップ固定材が積層され」た生理用ナプキン（【請求項１】、図１、図３参照）のように、不使用時にウイング部分を折り畳んで、離型紙で被覆した生理用ナプキンは知られているので、本件発明における幅広部ウイングを同様な構成とすることは、当業者が適宜に行い得ることと認められる。
　
４．むすび
　以上のとおりであるから、本件特許の請求項１〜５に係る発明は、刊行物１〜４に記載された発明に基づいて当業者が容易に発明できたものであるので、本件の請求項１〜５に係る特許は、特許法第２９条第２項に違反してされたものであり、特許法第１１３条第２号の規定に該当し、取り消されるべきものである。
　よって、結論のとおり決定する。
【異議決定日】
平成１３年７月１３日（２００１．７．１３）
【訂正の要旨】
訂正の要旨
訂正事項ａ
　特許請求の範囲の減縮及び明りょうでない記載の釈明を目的として、特許請求の範囲の請求項１の
「【請求項１】使用者の身体に面する側に配置された液透過性のトップシートと、下着に面する側に配置された液不透過性のバックシートと、前記両シート間に配置された吸収性コアを備えた生理用ナプキンであって、生理用ナプキンの外形と一致するとともに使用者の身体の前後方向に沿って実質的に細長い形状を呈し、使用者の身体の後方部分に対応するシート部分が身体の前方部分に対応するシート部分より幅広に形成されたバックシートと、前記バックシートの前方部分より幅狭に形成された吸収性コアと、前記吸収性コアが存在する領域に対応して配置されるとともに前記バックシートの下着に面する側に設けられた第１の接着層と、前記バックシートの幅広に形成された後方部分であって前記吸収性コアの両側の前記吸収性コアが存在しない領域に対応して配置されるとともに前記バックシートの下着に面する側に設けられた第２の接着層とを有し、前記第１の接着層によって生理用ナプキンが下着の内側に固定されるとともに、前記第２の接着層によって前記バックシートの幅広に形成された後方部分が下着内で広がり状態に保持されてなる、生理用ナプキン。」
を、
「【請求項１】使用者の身体に面する側に配置された液透過性のトップシートと、下着に面する側に配置された液不透過性のバックシートと、前記両シート間に配置された吸収性コアを備えた生理用ナプキンであって、
前記バックシートは、
れ、前記吸収性コアは、
、前記生理用ナプキンは、さらに、
と、前記吸収性コアの両側を越えて横方向外側に延びるウイングを、前記ウイングの下着に面する側に設けられて第３の接着層とを備え、使用に際して、
の内側
、前記ウイングが下着の股領域に折り返されそこに前記第３の接着層を介して固定され
に訂正する。
訂正事項ｂ
　特許請求の範囲の減縮を目的として、特許請求の範囲の請求項１の
「【請求項２】前記吸収性コアが、使用者の身体の前後方向に沿って実質的に同じ幅を有してなる、請求項１記載の生理用ナプキン。」
を、
「【請求項２】前記吸収性コアが、
細破砕木材パルプで形成されると共に、
に訂正する。
請求事項ｃ
　特許請求の範囲の減縮を目的として、特許請求の範囲の請求項６を削除する。
請求事項ｄ
　明りょうでない記載の釈明を目的として、発明の詳細な説明の段落０００７の
「【０００７】【課題を解決するための手段】本発明の生理用ナプキンは、使用者の身体に面する側に配置された液透過性のトップシートと、下着に面する側に配置された液不透過性のバックシートと、両シート間に配置された吸収性コアを備えた生理用ナプキンであって、前記生理用ナプキンの外形と一致するとともに、使用者の身体の前後方向に沿って実質的に細長い形状を呈し、使用者の身体の後方部分に対応するシート部分は身体の前方部分に対応するシート部分より幅広に形成されたバックシートと、前記バックシートの前方部分より幅狭に形成された吸収性コアと、前記吸収性コアが存在する領域に対応して配置されるとともに前記バックシートの下着に面する側に設けられた第１の接着層と、前記バックシートの幅広に形成された後方部分であって前記吸収性コアの両側の前記吸収性コアが存在しない領域に対応して配置されるとともに前記バックシートの下着に面する側に設けられた第２の接着層とを有し、前記第１の接着層によって生理用ナプキンが下着の内側に固定されるとともに、第２の接着層によって前記バックシートの幅広に形成された後方部分が下着内で広がり状態に保持されることを特徴とする。」
を
「【０００７】【課題を解決するための手段】本発明の生理用ナプキンは、使用者の身体に面する側に配置された液透過性のトップシートと、下着に面する側に配置された液不透過性のバックシートと、前記両シート間に配置された吸収性コアを備えた生理用ナプキンであって、
前記バックシートは、
れ、前記吸収性コアは、
、前記生理用ナプキンは、さらに、
と、前記吸収性コアの両側を越えて横方向外側に延びるウイングを、前記ウイングの下着に面する側に設けられて第３の接着層とを備え、使用に際して、
の内側
、前記ウイングが下着の股領域に折り返されそこに前記第３の接着層を介して固定される
と訂正する。
（５４）【発明の名称】
生理用ナプキン
（５７）【特許請求の範囲】
　【請求項１】
　使用者の身体に面する側に配置された液透過性のトップシートと、下着に面する側に配置された液不透過性のバックシートと、前記両シート間に配置された吸収性コアを備えた生理用ナプキンであって、
　
前記バックシートは、
れ、
　
前記吸収性コアは、
れ、
　
前記生理用ナプキンは、さらに、
　前記吸収性コアが存在する領域に対応して配置されるとともに前記バックシートの下着に面する側に設けられた第１の接着層と、
　前記バックシートの幅広に形成された後方部分であって前記吸収性コアの両側の前記吸収性コアが存在しない領域に対応して配置されるとともに前記バックシートの下着に面する側に設けられた第２の接着層
と、
　
前記吸収性コアの両側を越えて横方向外側に延びるウイングと、
　
前記ウイングの下着に面する側に設けられた第３の接着層とを備え、
　
使用に際して、
の内側
、さらに、前記ウイングが下着の股領域に折り返されそこに前記第３の接着層を介して固定される
　【請求項２】
　前記吸収性コアが、
細破砕木材パルプで形成されると共に、
　【請求項３】
　前記トップシートが、前記吸収性コアの外周縁に沿って前記バックシートに固定されてなる、請求項１または２記載の生理用ナプキン。
　【請求項４】
　前記トップシートが、前記バックシートの外形と一致し、それぞれの外周縁が互いに固定されてなる、請求項１記載の生理用ナプキン。
　【請求項５】
　前記バックシートの幅広に形成された後方部分が前記生理用ナプキンの長手方向中心線に向けて折り返され、前記接着層に剥離紙が取付けられてなる、請求項１記載の生理用ナプキン。
【発明の詳細な説明】
　【０００１】
　【産業上の利用分野】
　本発明は、女性の身体に着用されて体液を吸収させる為に使用される生理用ナプキンに関するものである。さらに詳細には、本発明は、生理用ナプキンの後方部分が前方部分より幅広に形成された生理用ナプキンに関する。
　【０００２】
　【従来の技術】
　従来より、女性の身体に着用されて体液を吸収するための手段として、生理用ナプキンが使用されている。このような生理用ナプキンとしては、典型的には使用者の身体の前後方向に沿って同じ幅に形成されている。このような形態のものはその幅の均一性から、製造効率がよく、しかも材料の節約において有利であった。しかしながら、使用者の身体の後方部分においては十分に液漏れ防止がなされているとは言えなかった。つまり夜間の就寝時に長時間使用するときには、横たわった姿勢から身体の後方部分における液漏れ防止が重要な課題となる。そこで、使用者の身体の後方部分に対応する部分を前方部分より幅広に形成された生理用ナプキンが使用に供されている。
　【０００３】
　このような製品においては、生理用ナプキンの後方部分が幅広に形成されていることに起因して、下着への取付状態が不安定となったり、その幅広部分の端部が使用中にめくれあがり、漏れ防止を長時間に渡ってを保証できないという問題があった。さらに生理用ナプキン自体を個包装する場合に幅広部分が存在するため個包装自体が大きくなったり、あるいは幅広部分を折り畳んで包装しようとする場合には包装が完成する直前まで幅広部分を折畳み状態に保持しておく必要があり、製造が困難であるという問題があった。
　【０００４】
　【発明が解決しようとする課題】
　本発明の目的は、生理用ナプキンの後方部分に幅広部分を付与することによって液漏れ防止を可能にした生理用ナプキンを提供することである。
　【０００５】
　本発明の他の目的は、生理用ナプキンの使用中長時間にわたって、生理用ナプキンの後方部分の幅広部分が安定して液漏れ効果を発揮できるようにした生理用ナプキンを提供することである。
　【０００６】
　本発明のさらに他の目的は、生理用ナプキンの後方部分の幅広部分を折畳み固定することが可能な生理用ナプキンを提供することである。
　【０００７】
　【課題を解決するための手段】
　本発明の生理用ナプキンは、使用者の身体に面する側に配置された液透過性のトップシートと、下着に面する側に配置された液不透過性のバックシートと、両シート間に配置された吸収性コアを備えた生理用ナプキンであって、
前記バックシートは、
れ、前記吸収性コアは、
れ、前記生理用ナプキンは、さらに、
と、前記吸収性コアの両側を越えて横方向外側に延びるウイングと、前記ウイングの下着に面する側に設けられた第３の接着層とを備え、使用に際して、
の内側
、さらに、前記ウイングが下着の股領域に折り返されそこに前記第３の接着層を介して固定される
　【０００８】
　【実施例】
　次に本発明に係る実施例を図面を参照して説明する。
　【０００９】
　図１乃至図３は、本発明に従って構成された生理用ナプキンの一実施例を図示している。全体を番号２で示すナプキンは、液透過性のトップシート４、液不透過性のバックシート６、及びトップシート４とバックシート６との間に配置されている吸収性コア８を具備している。トップシート４は使用者から排出された体液を迅速に吸収性コア８に透過せしめるとともに、着用者の皮膚に接触せしめられた時に着用者に過度の不快感を与えないものであることが重要であり、たとえば天然または合成繊維製の織布または不織布、多数の小孔が形成されている熱可塑性合成樹脂フィルム、多孔性合成樹脂フォーム、網状合成樹脂フォーム、網状可塑性合成樹脂フィルムまたは熱可塑性合成樹脂スクリムなどから好都合に形成することができる。バックシート６は吸収性コア８に吸収された液体がナプキンから流出して使用者自身及び／又は着用者の衣服を汚染するのを防止する機能を有することが重要であり、ポリオレフィンフィルムの如き柔軟な液体不透過性熱可塑性合成樹脂フィルムから好都合に形成することができる。バックシート６を形成するための特に好適なフィルムとしては、厚さ０．０１乃至０．０５ｍｍ、特に約０．０２５ｍｍ、の低密度ポリエチレンフィルム（かかるポリエチレンフィルムはエシル　コープのビスクリーン部門から「Ｍｏｄｅｌ　ＸＰ−３９３８５」として、また米国オハイオ州シンシナティ所在のクロペイ　コープから「ＳＯＦＬＥＸＸ　１４０１」として販売されている）を挙げることができる。トップシート４とバックシート６との間に配設されている吸収性コア８は、着用者から排出されてトップシート４を透過した体液を吸収して保持する機能を有することが重要である。かような吸収性コア８は、例えばエアフェルトと称される細破砕木材パルプ、クレープ処理したセルロース詰綿、メルトブローした重合体、化学的に剛性化、変形或いは架橋させたセルロース繊維、吸収性合成樹脂フォーム、ティッシュペーパー層、又は吸収ゲル化（液体を吸収してゲル状になる）材料或いはこれらの適宜の組み合わせから好都合に形成することができる。
　【００１０】
　図示の実施例においてはトップシート４の形状はバックシート６の形状及び寸法と実質的に同一であり、トップシート４とバックシート６とはそれらの全周縁に渡って連続して加熱融着されている。トップシート４とバックシート６との加熱融着領域１０を、図示の便宜上図１においては交差斜線を施して表示し、図２においては斜線で表示している。所望ならば他の適宜の様式、たとえば接着剤による接着等、によってトップシート４とバックシート６とを相互に連結することもできる。前記したようにトップシート４とバックシート６とはそれぞれ形状が一致しており、したがってこれらのシートの形状はナプキン２自体の外形と一致している。また吸収性コア８は、ナプキン２の長手方向（図１において上下方向）に沿って配置されていて、その長手方向の全長にわたって実質的に同じ幅（図１において横方向の長さ）であるように形成されている。
　【００１１】
　バックシート６の外面であって吸収性コア８にほぼ対応する位置には、ナプキン２を下着の内面に固定するための接着剤の層３が設けられている。この接着剤としては、米国オハイオ州コロンブス所在のセンチュリー　アドヘッシブ　コープから販売されている「Ｃｅｎｔｕｒｙ　Ａｄｈｅｓｉｖｅ　Ａ−３０５−ＩＶ」が好適に使用され得る。この接着剤の層３がバックシート６の外面に施される場合には、使用前における接着剤の汚染を防止する為に、シリコーン被覆した紙で接着剤を覆うことが好ましい。
　【００１２】
　トップシート４およびバックシート６は、ナプキン２の長手方向の前方（前方とは図１において上方を指す）に若干偏倚した位置において、吸収性コア８の側縁８ａから横方向外側に向けて突出している。この突出部によってナプキン２にウイング１２を付与している。このウイング１２は、ナプキン２の使用に際して、下着の股領域の回りに折り返して使用される。ウイング１２の裏面、つまりバックシート６の下着に面する側には、必要に応じてウイング１２を下着に固定するための接着剤の層１４を設けることができる。
　トップシート４とバックシート６はさらにナプキン２の長手方向の後方領域において、吸収性コア８の側縁８ａから横方向外側に向けて突出している。この突出部はナプキン２の長手方向後方（後方とは図１において下方を指す）において、漏れ防止のための幅広部１６を構成する。ナプキン２の後方部、つまり使用者の身体の尻部に対応する領域を幅広部１６とすることによって、この領域での漏れ防止効果をより高めることができる。
　【００１３】
　上記のように構成されている結果、吸収性コア８の側縁８ａにおける、ウイング１２と幅広部１６との間にはくびれ部分１８が形成される。ナフキン２が使用される時にはウイング１２が下着の回りに折り返されるため、ナプキン２は実質的にナプキン２の前端縁２０からくびれ部分１８のくびれ基部２２までが長手方向に沿ってほぼ同じ幅となり、そしてくびれ基部２２からナプキン２の長手方向後方に向けてその幅が順次増加した形状となる。
　【００１４】
　前述した通り、トップシート４とバックシート６は加熱融着領域１０において加熱融着されている。この融着によって吸収性コア８の前方端縁と後方端縁の外側および吸収性コア８の側縁の外側に位置するトップシート部分とバックシート部分が互いに融着固定される。さらに吸収性コア８の側縁８ａ外側におけるウイング１２と幅広部１６との付け根部分２４、２６を加熱融着している（図１および図２においてこの加熱融着領域は斜線で示してある）。これらの加熱融着によって吸収性コア８のほぼ外周縁に沿ったトップシート４とバックシート６部分とを互いに実質的に固定することができる。この固定によって吸収性コア８はナプキン２の内部において安定した位置をとることができる。
　【００１５】
　前述した通り、吸収性コア８はその幅がナプキン２の長手方向に沿って実質的に同じ幅を有している。この吸収性コアの形状は、ナプキンを製造する上において切り落とし部分を少なくし製造コストを低減させるのに寄与する。そのためウイング１２に対応する領域と幅広部１６とに対応する領域には吸収性コア８が存在していない。ウイング１２内に吸収性コアが存在しないことは、ウイング１２があまり堅くなりすぎず、ウイング１２が容易に折り畳める程度の可撓性を有するという点で有利である。しかしながら幅広部１６に吸収性コアが存在しないという事実は、この幅広部１６の剛性を低下させる。この剛性低下による不都合を補う為に、幅広部１６においてバックシート６の下着に面する側に接着剤の層２８を設けている。ナプキンの使用時には幅広部１６が下着内で広げられ、そして接着剤２８を下着の内面に接着させる。そしてこの接着剤２８は、幅広部１６が使用者の身体との接触によりめくれ上がるのを防ぐ。
　【００１６】
　図３は図１に示した実施例の生理用ナプキンのウイング１２と幅広部１６とが折り畳まれた状態を示している。図３に示される如く、ウイング１２と幅広部１６とはそれぞれトップシート４側に折り返されている。ウイング１２に設けられた接着剤１４は、表面にシリコーン等の剥離剤を塗布された剥離紙３０によって覆われそれぞれ左右のウイング１２は連結された状態にある。また幅広部１６に設けられた接着剤２８もまた、表面にシリコーン等の剥離剤を塗布された剥離紙３２によって覆われそれぞれ左右の幅広部１６は連結された状態にある。
　【００１７】
　このように吸収性コア８から横方向外側に突出した部分、つまりウイング１２と幅広部１６とをトップシート４側に折り返しておくことによって、ナプキン１２の幅を少なくすることができる。これによってナプキン１２の個包装自体を小さくすることができる。また吸収性コア１２の両側から外方に突出するウイング１２と幅広部１６とを剥離紙で連結しておくことができるので、製造ライン上でこれらを押さえて搬送する必要がなく製造ラインを簡略化できる。
　【００１８】
　上記の実施例では、ナプキン２本体を下着に固定するための接着剤３と、幅広部１６のめくれあがりを防ぐための接着剤２８とを別個に設ける構成としたが、これにかえて、接着剤３と接着剤２８とを連結させた構成とすることもできる。いずれにしても幅広部１６において吸収性コア８が存在しない領域に対応するバックシート裏面に接着剤の層を設けることが重要である。その他本発明の範囲内において種々の設計変更が可能である。
　【００１９】
　【発明の効果】
　本発明の生理用ナプキンは、上記したように構成されることによって、生理用ナプキンの後方部分に位置する幅広部分が接着層を介して下着の内面に固定されるため、使用中めくれ上がったりすることがなく、長時間にわたって安定して漏れ防止に寄与できる。また生理用ナプキンの後方部分に位置する幅広部分に吸収性コアが存在せず、そのため幅広部分が十分な剛性を有していないような場合でも使用中のめくれあがりの心配がない。
【図面の簡単な説明】
　【図１】
　本発明の一実施例の生理用ナプキンの上面図。
　【図２】
　図１の生理用ナプキンのＩＩ−ＩＩ線における断面図。
　【図３】
　図１の生理用ナプキンを折り畳んだ状態を示す上面図。
　【符号の説明】
４　トップシート
６　バックシート
８　吸収性コア
１２　ウイング
１４　接着剤
１６　幅広部
２８　接着剤
３０、３２　剥離紙